(57)【要約】【課題】画像形成装置本体の構成が複雑になることを抑制できる画像形成装置を提供する。【解決手段】  画像形成装置１は、本体筐体２と、ドロワ５と、ドラムカートリッジ６Ｍと、トナーカートリッジ７Ｍとを備える。ドラムカートリッジ６Ｍは、ドロワ５に支持される。トナーカートリッジ７Ｍは、ドラムカートリッジ６Ｍに供給されるトナーを収容する。ドロワ５は、トナーカートリッジ７Ｍからドラムカートリッジ６Ｍに供給されるトナーを搬送可能なトナー搬送ユニット９２Ｍを備える。【選択図】図８
2020042244.tif 000002
【特許請求の範囲】
【請求項１】
本体筐体と、
前記本体筐体の内側に位置する内側位置と、前記本体筐体の外側に位置する外側位置との間を、第１方向に移動可能なドロワと、
感光ドラムを有するドラムカートリッジであって、前記ドロワに支持されるドラムカートリッジと、
前記ドラムカートリッジに供給されるトナーを収容するトナーカートリッジと
を備え、
前記ドロワは、前記トナーカートリッジから前記ドラムカートリッジに供給されるトナーを搬送可能なトナー搬送ユニットを備えることを特徴とする、画像形成装置。
【請求項２】
前記画像形成装置は、さらに、前記トナーカートリッジと接続される接続管を備え、
前記トナー搬送ユニットは、前記ドロワが前記内側位置に位置した状態で、前記接続管と接続され、前記接続管からのトナーを前記ドラムカートリッジに搬送可能であることを特徴とする、請求項１に記載の画像形成装置。
【請求項３】
前記トナー搬送ユニットは、
前記第１方向と交差する第２方向に延び、一端が前記ドラムカートリッジに接続するトナー第１管と、
前記第１方向および前記第２方向の両方と交差する第３方向に延び、前記トナー第１管と前記接続管とを接続するトナー第２管と
を備えることを特徴とする、請求項２に記載の画像形成装置。
【請求項４】
前記ドロワは、第１側壁と、前記第１方向と交差する第２方向において、前記第１側壁から離れて位置する第２側壁とを備え、
前記トナー搬送ユニットは、前記第１側壁に設けられていることを特徴とする、請求項１から請求項３のいずれか一項に記載の画像形成装置。
【請求項５】
前記ドラムカートリッジは、ドラムカップリングを備え、
前記第１側壁は、前記ドラムカップリングが通る切欠を備えることを特徴とする、請求項４に記載の画像形成装置。
【請求項６】
前記画像形成装置は、さらに、前記トナーカートリッジと接続される接続管を備え、
前記トナー搬送ユニットは、前記ドロワが前記内側位置に位置する状態で、前記接続管を受ける受部を備え、
前記ドロワが前記内側位置に位置する状態で、前記受部の下端は、前記切欠の上端よりも上方に位置することを特徴とする、請求項５に記載の画像形成装置。
【請求項７】
前記本体筐体は、開口を有し、
前記画像形成装置は、さらに、
前記開口が開く開位置と前記開口を閉じる閉位置との間を移動可能なカバーと、
前記カバーが前記開位置から前記閉位置へ移動するときに、前記カバーに連動して、前記内側位置に位置する前記ドロワを持ち上げるリフト部材と
を備え、
前記接続管は、トナーを排出する排出口を有し、
前記画像形成装置は、前記排出口を閉じる閉位置と前記排出口が開く開位置との間を移動可能なシャッターを備え、
前記シャッターは、
前記リフト部材が前記ドロワを持ち上げるときに、前記ドロワの一部と接触して、前記閉位置から前記開位置へ移動し、
前記リフト部材が前記ドロワを下げるときに、前記ドロワの一部との接触が解除されて、前記開位置から前記閉位置へ移動することを特徴とする、請求項２に記載の画像形成装置。
【請求項８】
前記本体筐体は、開口を有し、
前記画像形成装置は、さらに、
前記開口が開く開位置と前記開口を閉じる閉位置との間を移動可能なカバーと、
第２感光ドラムを有する第２ドラムカートリッジであって、前記ドロワに支持される第２ドラムカートリッジであり、前記ドラムカートリッジと前記第２ドラムカートリッジとが前記ドロワに装着された状態で、前記第１方向において前記ドラムカートリッジと並ぶ第２ドラムカートリッジと、
前記第２ドラムカートリッジに供給されるトナーを収容する第２トナーカートリッジと、
前記第２トナーカートリッジと接続される第２接続管と
を備え、
前記ドロワは、前記第２トナーカートリッジから前記第２ドラムカートリッジに供給されるトナーを搬送可能な第２トナー搬送ユニットを備え、
前記接続管は、トナーを排出する第１排出口を有し、
前記第２接続管は、トナーを排出する第２排出口を有し、
前記画像形成装置は、
前記第１排出口および前記第２排出口を閉じる閉位置と、前記第１排出口および前記第２排出口が開く開位置との間を、前記カバーに連動して移動可能なシャッターを備えることを特徴とする、請求項２に記載の画像形成装置。
【請求項９】
前記ドロワは、前記トナー搬送ユニット内に配置される第１オーガスクリューと、前記第１オーガスクリューに動力を伝えるための第１カップリングと、を備え、
前記ドラムカートリッジは、前記第１カップリングと接続して前記第１カップリングに動力を伝える第１出力カップリングを備えることを特徴とする、請求項１から請求項８のいずれか一項に記載の画像形成装置。
【請求項１０】
前記画像形成装置は、
前記ドラムカートリッジが前記ドロワに装着され、前記ドロワが前記内側位置に位置する状態で、前記ドラムカートリッジに前記画像形成装置からの動力を伝えるための本体カップリングを備え、
前記第１カップリングは、前記本体カップリングよりも下方に位置することを特徴とする、請求項９に記載の画像形成装置。
【請求項１１】
前記ドラムカートリッジは、前記感光ドラムの周面をクリーニングするドラムクリーナーを有し、
前記画像形成装置は、
前記ドラムクリーナーによって前記感光ドラムの周面から除去された廃トナーを収容するための廃トナーカートリッジを備え、
前記ドロワは、
前記ドラムカートリッジから前記廃トナーカートリッジに廃トナーを搬送するための廃トナー搬送ユニットを備えることを特徴とする、請求項１から請求項１０のいずれか一項に記載の画像形成装置。
【請求項１２】
前記ドロワは、第１側壁と、前記第１方向と交差する第２方向において、前記第１側壁から離れて位置する第２側壁とを備え、
前記廃トナー搬送ユニットおよび前記トナー搬送ユニットは、前記第１側壁に設けられていることを特徴とする、請求項１１に記載の画像形成装置。
【請求項１３】
前記廃トナー搬送ユニットは、
前記第１方向と交差する第２方向に延び、前記ドラムカートリッジと接続する廃トナー第１管と、
前記第１方向に延び、前記廃トナー第１管と前記廃トナーカートリッジとを接続する廃トナー第２管と
を備えることを特徴とする、請求項１１または請求項１２に記載の画像形成装置。
【請求項１４】
前記ドロワは、前記廃トナー搬送ユニット内に配置される第２オーガスクリューと、前記第２オーガスクリューに動力を伝えるための第２カップリングと、を備え、
前記ドラムカートリッジは、前記第２カップリングと接続して前記第２カップリングに動力を伝える第２出力カップリングを備えることを特徴とする、請求項１１から請求項１３のいずれか一項に記載の画像形成装置。
【請求項１５】
前記本体筐体は、開口を有し、
前記画像形成装置は、さらに、前記開口が開く開位置と前記開口を閉じる閉位置との間を移動可能なカバーを備え、
前記ドロワは、前記カバーが開位置に位置した状態で、前記開口を通って、前記内側位置と前記外側位置との間を移動可能であることを特徴とする、請求項１に記載の画像形成装置。
【請求項１６】
前記トナーカートリッジは、前記第１方向と交差する第２方向に沿って、前記画像形成装置に装着可能であることを特徴とする、請求項１から請求項１５のいずれか一項に記載の画像形成装置。
【請求項１７】
前記ドラムカートリッジは、前記ドロワが前記外側位置に位置する状態で、前記第１方向と交差する第２方向に沿って、前記ドロワに装着可能であることを特徴とする、請求項１から請求項１６のいずれか一項に記載の画像形成装置。
【請求項１８】
前記第１方向と交差する第２方向は、前記感光ドラムの軸線が延びる方向であることを特徴とする、請求項１から請求項１７のいずれか一項に記載の画像形成装置。
【発明の詳細な説明】
【技術分野】
【０００１】
本開示は、画像形成装置に関する。
【背景技術】
【０００２】
従来、本体筐体と、トナーカートリッジと、ドロワと、現像装置と、トナー搬送ユニットとを備える画像形成装置が知られている。トナーカートリッジは、現像装置に供給されるトナーを収容する。ドロワは、トナーカートリッジを支持する。ドロワは、内側位置と外側位置との間を移動可能である。ドロワが内側位置に位置する場合、ドロワは、本体筐体の内側に位置する。ドロワが外側位置に位置する場合、ドロワは、本体筐体の外側に位置する。トナー搬送ユニットは、トナーカートリッジから現像装置にトナーを搬送可能である（下記特許文献１参照）。
【先行技術文献】
【特許文献】
【０００３】
【特許文献１】特開２０１３−２２８６８２号公報
【発明の概要】
【発明が解決しようとする課題】
【０００４】
上記した特許文献１に記載されるような画像形成装置では、本体筐体にトナー搬送ユニットが設けられており、トナー搬送ユニットは、ドロワに収納された現像装置に直接接続している。そのため、トナー搬送ユニットと現像装置とを接続する部分の構造が複雑になり、ひいては、本体筐体内の構造が、複雑になる。
【０００５】
そこで、本開示の目的は、本体筐体内の構造が複雑になることを抑制できる画像形成装置を提供することにある。
【課題を解決するための手段】
【０００６】
（１）本開示の画像形成装置は、本体筐体と、ドロワと、ドラムカートリッジと、トナーカートリッジとを備える。ドロワは、内側位置と外側位置との間を、第１方向に移動可能である。ドロワが内側位置に位置する場合、ドロワは、本体筐体の内側に位置する。ドロワが外側位置に位置する場合、ドロワは、本体筐体の外側に位置する。ドラムカートリッジは、感光ドラムを有する。ドラムカートリッジは、ドロワに支持される。トナーカートリッジは、ドラムカートリッジに供給されるトナーを収容する。
【０００７】
ドロワは、トナーカートリッジからドラムカートリッジに供給されるトナーを搬送可能なトナー搬送ユニットを備える。
【０００８】
このような構成によれば、ドロワにトナー搬送ユニットを設けて、トナーカートリッジから現像装置へのトナーの搬送経路のうち、本体筐体に設けられる部分の構造を簡素化できる。
【０００９】
これにより、本体筐体内の構造が複雑になることを抑制できる。
【００１０】
（２）画像形成装置は、さらに、接続管を備えてもよい。接続管は、トナーカートリッジと接続される。この場合、トナー搬送ユニットは、ドロワが内側位置に位置した状態で、接続管と接続され、接続管からのトナーをドラムカートリッジに搬送可能である。
【００１１】
（３）トナー搬送ユニットは、トナー第１管とトナー第２管とを備えてもよい。トナー第１管は、第１方向と交差する第２方向に延びる。トナー第１管の一端は、ドラムカートリッジに接続する。トナー第２管は、第１方向および第２方向の両方と交差する第３方向に延びる。トナー第２管は、トナー第１管と接続管とを接続する。
【００１２】
（４）ドロワは、第１側壁と第２側壁とを備える。第２側壁は、第１方向と交差する第２方向において、第１側壁から離れて位置する。トナー搬送ユニットは、第１側壁に設けられていてもよい。
【００１３】
（５）ドラムカートリッジは、ドラムカップリングを備える。第１側壁は、ドラムカップリングが通る切欠を備えてもよい。
【００１４】
（６）トナー搬送ユニットは、受部を備えてもよい。受部は、ドロワが内側位置に位置する状態で、接続管を受ける。ドロワが内側位置に位置する状態で、受部の下端は、切欠の上端よりも上方に位置する。
【００１５】
（７）本体筐体は、開口を有してもよい。画像形成装置は、さらに、カバーとリフト部材とを備えてもよい。カバーは、開位置と閉位置との間を移動可能である。カバーが開位置に位置する場合、開口が、開く。カバーが閉位置に位置する場合、カバーは、開口を閉じる。リフト部材は、カバーが開位置から閉位置へ移動するときに、カバーに連動して、内側位置に位置するドロワを持ち上げる。接続管は、排出口を有する。排出口は、トナーを排出する。画像形成装置は、シャッターを備える。シャッターは、閉位置と開位置との間を移動可能である。シャッターが閉位置に位置する場合、シャッターは、排出口を閉じる。シャッターが開位置に位置する場合、排出口が、開く。シャッターは、リフト部材がドロワを持ち上げるときに、ドロワの一部と接触して、閉位置から開位置へ移動する。シャッターは、リフト部材がドロワを下げるときに、ドロワの一部との接触が解除されて、開位置から閉位置へ移動する。
【００１６】
（８）画像形成装置は、さらに、第２ドラムカートリッジと、第２トナーカートリッジと、第２接続管とを備えてもよい。第２ドラムカートリッジは、第２感光ドラムを有する。第２ドラムカートリッジは、ドロワに支持される。第２ドラムカートリッジは、ドラムカートリッジと第２ドラムカートリッジとがドロワに装着された状態で、第１方向においてドラムカートリッジと並ぶ。第２トナーカートリッジは、第２ドラムカートリッジに供給されるトナーを収容する。第２接続管は、第２トナーカートリッジと接続される。ドロワは、第２トナー搬送ユニットを備える。第２トナー搬送ユニットは、第２トナーカートリッジから第２ドラムカートリッジに供給されるトナーを搬送可能である。接続管は、トナーを排出する第１排出口を有する。第２接続管は、トナーを排出する第２排出口を有する。画像形成装置は、シャッターを備える。シャッターは、閉位置と開位置との間を、カバーに連動して移動可能である。シャッターが閉位置に位置する場合、シャッターは、第１排出口および第２排出口を閉じる。シャッターが開位置に位置する場合、第１排出口および第２排出口が、開く。
【００１７】
（９）ドロワは、第１オーガスクリューと第１カップリングを備えてもよい。第１オーガスクリューは、トナー搬送ユニット内に配置される。第１カップリングは、第１オーガスクリューに動力を伝える。ドラムカートリッジは、第１出力カップリングを備えてもよい。第１出力カップリングは、第１カップリングと接続して第１カップリングに動力を伝える。
【００１８】
（１０）第１カップリングは、本体カップリングよりも下方に位置してもよい。
【００１９】
（１１）ドラムカートリッジは、ドラムクリーナーを備えてもよい。ドラムクリーナーは、感光ドラムの周面をクリーニングする。画像形成装置は、廃トナーカートリッジを備えてもよい。廃トナーカートリッジは、ドラムクリーナーによって感光ドラムの周面から除去された廃トナーを収容する。ドロワは、廃トナー搬送ユニットを備えてもよい。廃トナー搬送ユニットは、ドラムカートリッジから廃トナーカートリッジに廃トナーを搬送する。
【００２０】
（１２）廃トナー搬送ユニットおよびトナー搬送ユニットは、第１側壁に設けられていてもよい。
【００２１】
（１３）廃トナー搬送ユニットは、廃トナー第１管と廃トナー第２管とを備えてもよい。廃トナー第１管は、第２方向に延びる。廃トナー第１管は、ドラムカートリッジと接続する。廃トナー第２管は、第１方向に延びる。廃トナー第２管は、廃トナー第１管と廃トナーカートリッジとを接続する。
【００２２】
（１４）ドロワは、第２オーガスクリューと第２カップリングとを備える。第２オーガスクリューは、廃トナー搬送ユニット内に配置される。第２カップリングは、第２オーガスクリューに動力を伝える。ドラムカートリッジは、第２出力カップリングを備える。第２出力カップリングは、第２カップリングと接続して第２カップリングに動力を伝える。
【００２３】
（１５）ドロワは、カバーが開位置に位置した状態で、開口を通って、内側位置と外側位置との間を移動可能であってもよい。
【００２４】
（１６）トナーカートリッジは、第１方向と交差する第２方向に沿って、画像形成装置に装着可能であってもよい。
【００２５】
（１７）ドラムカートリッジは、ドロワが外側位置に位置する状態で、第１方向と交差する第２方向に沿って、ドロワに装着可能であってもよい。
【００２６】
（１８）第１方向と交差する第２方向は、感光ドラムの軸線が延びる方向であってもよい。
【発明の効果】
【００２７】
本開示の画像形成装置によれば、本体筐体内の構造が複雑になることを抑制できる。
【図面の簡単な説明】
【００２８】
【図１】図１は、画像形成装置の外観を示す図である。
【図２】図２は、図１に示す画像形成装置の概略を説明するための図である。
【図３】図３は、図２に示すドロワが外側位置に位置した状態を示す図である。
【図４】図４は、図２に示すドラムカートリッジの拡大図である。
【図５】図５Ａは、トナー収容器の断面図であって、第１シャッターが閉位置に位置し、かつ、第２シャッターが閉位置に位置した状態を示す。図５Ｂは、図５Ａに示すトナー収容器であって、第１シャッターが開位置に位置し、かつ、第２シャッターが開位置に位置した状態を示す。
【図６】図６は、図４に示すドラムカートリッジの平面図である。
【図７】図７Ａは、図６に示すドラムカートリッジを第２方向の一方から見た側面図である。図７Ｂは、図６に示すドラムカートリッジを第２方向の他方から見た側面図である。
【図８】図８は、ドロワの平面図である。
【図９】図９は、ドロワの断面図であって、図８に示すＢ−Ｂ線に相当する断面図である。
【図１０】図１０は、画像形成装置の断面図であって、図２のＡ−Ａ線に相当する断面図である。
【図１１】図１１は、画像形成装置の断面図であって、図２のＣ−Ｃ線に相当する断面図である。
【図１２】図１２は、図１０に示す画像形成装置であって、カバーが開位置に位置した状態を示す。
【図１３】図１３は、図１０に示す画像形成装置の一部を拡大した拡大図である。
【図１４】図１４は、トナー搬送ユニットと接続管との接続を説明する説明図である。
【図１５】図１５は、廃トナーカートリッジおよびトナーカートリッジが画像形成装置から取り外された状態を示す図である。
【図１６】図１６は、図１０に示すリフト部材、レールおよびカムの斜視図である。
【図１７】図１７は、変形例を説明するための説明図であって、カバーが閉位置に位置し、シャッターが開位置に位置した状態を示す。
【図１８】図１８は、図１７とともに変形例を説明するための説明図であって、カバーが閉位置から開位置へ移動する途中であり、シャッターが閉位置に位置した状態を示す。
【図１９】図１９は、図１７および図１８とともに変形例を説明するための説明図であって、カバーが開位置に位置した状態を示す。
【発明を実施するための形態】
【００２９】
１．画像形成装置の概略
図１から図４を参照して、画像形成装置１の概略について説明する。
【００３０】
画像形成装置１は、図１または図２に示すように、本体筐体２と、カバー３Ａと、第２カバー３Ｂと、給紙カセット４と、ドロワ５と、４つのドラムカートリッジ６Ｙ、６Ｍ、６Ｃ、６Ｋと、４つのトナーカートリッジ７Ｙ、７Ｍ、７Ｃ、７Ｋと、露光装置８と、中間転写装置９と、二次転写ローラ１０と、定着装置１１とを備える。
【００３１】
１．１  本体筐体およびカバー
本体筐体２は、図２に示すように、給紙カセット４と、ドロワ５と、４つのドラムカートリッジ６Ｙ、６Ｍ、６Ｃ、６Ｋと、４つのトナーカートリッジ７Ｙ、７Ｍ、７Ｃ、７Ｋと、露光装置８と、中間転写装置９と、二次転写ローラ１０と、定着装置１１とを収容する。
【００３２】
本体筐体２は、図１に示すように、開口２Ａと、第２開口２Ｂとを有する。開口２Ａは、第１方向における本体筐体２の一方の外表面Ｓ１に位置する。第２開口２Ｂは、第２方向における本体筐体２の一方の外表面Ｓ２に位置する。
【００３３】
なお、第１方向は、ドロワ５の移動方向である。第２方向は、感光ドラム１５Ｍの軸線Ａ１が延びる方向である。ドロワ５および感光ドラム１５Ｍについては、後で説明する。第２方向は、第１方向と交差する。好ましくは、第２方向は、第１方向と直交する。
【００３４】
カバー３Ａは、開位置（図３参照）と、閉位置（図２参照）との間を移動可能である。カバー３Ａが開位置に位置する場合、開口２Ａが、開く。カバー３Ａが閉位置に位置する場合、カバー３Ａは、開口２Ａを閉じる。
【００３５】
第２カバー３Ｂは、開位置（図１５参照）と、閉位置（図１０参照）との間を移動可能である。第２カバー３Ｂが開位置に位置する場合、第２開口２Ｂが、開く。第２カバー３Ｂが閉位置に位置する場合、第２カバー３Ｂは、第２開口２Ｂを閉じる。
【００３６】
１．２  給紙カセット
給紙カセット４は、図２に示すように、印刷用紙Ｐを収容可能である。給紙カセット４内の印刷用紙Ｐは、ピックアップローラ１２、給紙ローラ１３および搬送ローラ１４により、二次転写ローラ１０に向かって搬送される。
【００３７】
１．３  ドロワ
ドロワ５は、図２および図３に示すように、カバー３Ａが開位置に位置した状態で、内側位置（図２参照）と、外側位置（図３参照）との間を、開口２Ａを通って、第１方向に移動可能である。ドロワ５が内側位置に位置した状態で、ドロワ５は、本体筐体２の内側に位置する。ドロワ５が内側位置に位置した状態で、ドロワ５は、給紙カセット４の上方に位置する。ドロワ５が外側位置に位置した状態で、ドロワ５は、本体筐体２の外側に位置する。
【００３８】
１．４  ドラムカートリッジ
４つのドラムカートリッジ６Ｙ、６Ｍ、６Ｃ、６Ｋのそれぞれは、図２に示すように、ドロワ５に支持される。４つのドラムカートリッジ６Ｙ、６Ｍ、６Ｃ、６Ｋは、ドロワ５に装着された状態で、第１方向に並ぶ。つまり、ドラムカートリッジ６Ｙは、ドラムカートリッジ６Ｙとドラムカートリッジ６Ｍとがドロワ５に装着された状態で、第１方向においてドラムカートリッジ６Ｍと並ぶ。４つのドラムカートリッジ６Ｙ、６Ｍ、６Ｃ、６Ｋのそれぞれは、ドロワ５が外側位置に位置する状態（図３参照）で、第２方向に沿って、ドロワ５に装着可能である。
【００３９】
ドラムカートリッジ６Ｍは、図４に示すように、感光ドラム１５Ｍと、帯電ローラ１６Ｍと、現像器１７Ｍと、ドラムクリーナー１８Ｍとを有する。
【００４０】
感光ドラム１５Ｍは、第２方向に延びる軸線Ａ１について回転可能である。感光ドラム１５Ｍは、第２方向に延びる。感光ドラム１５Ｍは、円筒形状を有する。
【００４１】
帯電ローラ１６Ｍは、感光ドラム１５Ｍの周面を帯電させる。なお、ドラムカートリッジ６Ｍは、帯電ローラ１６Ｍの代わりに、スコロトロン型の帯電器を備えてもよい。
【００４２】
現像器１７Ｍは、感光ドラム１５Ｍの周面にトナーを供給するように構成される。現像器１７Ｍは、第２方向に延びる揺動軸Ａ２について揺動可能である。現像器１７Ｍは、現像筐体１９Ｍと、現像ローラ２０Ｍとを備える。
【００４３】
現像筐体１９Ｍは、トナーを収容する。
【００４４】
現像ローラ２０Ｍは、現像筐体１９Ｍに支持される。現像ローラ２０Ｍは、第２方向に延びる軸線について回転可能である。現像ローラ２０Ｍは、感光ドラム１５Ｍと接触する。これにより、現像ローラ２０Ｍは、現像筐体１９Ｍ内のトナーを感光ドラム１５Ｍの表面に供給可能である。
【００４５】
ドラムクリーナー１８Ｍは、感光ドラム１５Ｍの周面をクリーニングする。ドラムクリーナー１８Ｍは、クリーニングブレード２１Ｍと、クリーナー筐体２２Ｍと、オーガスクリュー２３Ｍとを備える。
【００４６】
クリーニングブレード２１Ｍは、平板形状を有する。クリーニングブレード２１Ｍは、第２方向に延びる。クリーニングブレード２１Ｍのエッジは、感光ドラム１５Ｍの周面に接触する。クリーニングブレード２１Ｍは、感光ドラム１５Ｍが回転したときに、感光ドラム１５Ｍの周面に残るトナーを、感光ドラム１５Ｍの周面から掻き取る。これにより、感光ドラム１５Ｍの周面は、クリーニングされる。クリーニングブレード２１Ｍにより感光ドラム１５Ｍの周面から掻き取られたトナーを、廃トナーと定義する。
【００４７】
クリーナー筐体２２Ｍは、クリーニングブレード２１Ｍを支持する。クリーナー筐体２２Ｍは、廃トナーを収容する。
【００４８】
オーガスクリュー２３Ｍは、クリーナー筐体２２Ｍ内に位置する。オーガスクリュー２３Ｍは、クリーナー筐体２２Ｍ内の廃トナーを第２方向に搬送する。
【００４９】
なお、図２に示すように、ドラムカートリッジ６Ｙ、６Ｃ、６Ｋは、ドラムカートリッジ６Ｍと同じ構造を有する。
【００５０】
１．５  トナーカートリッジ
図２に示す４つのトナーカートリッジ７Ｙ、７Ｍ、７Ｃ、７Ｋは、第２カバー３Ｂ（図１参照）が開位置に位置する状態で、第２開口２Ｂ（図１参照）を通って、第２方向に沿って、画像形成装置１に装着可能である。トナーカートリッジ７Ｙは、ドラムカートリッジ６Ｙの現像器１７Ｙに供給されるトナーを収容する。トナーカートリッジ７Ｍは、ドラムカートリッジ６Ｍの現像器１７Ｍに供給されるトナーを収容する。トナーカートリッジ７Ｃは、ドラムカートリッジ６Ｃの現像器１７Ｃに供給されるトナーを収容する。トナーカートリッジ７Ｋは、ドラムカートリッジ６Ｋの現像器１７Ｋに供給されるトナーを収容する。
【００５１】
１．６  中間転写装置
中間転写装置９は、４つのドラムカートリッジ６Ｙ、６Ｍ、６Ｃ、６Ｋがドロワ５に装着され、ドロワ５が内側位置に位置した状態で、４つのドラムカートリッジ６Ｙ、６Ｍ、６Ｃ、６Ｋの上方に位置する。中間転写装置９は、中間転写ベルト２４と、４つの一次転写ローラ２５Ｙ、２５Ｍ、２５Ｃ、２５Ｋとを備える。
【００５２】
中間転写ベルト２４は、４つのドラムカートリッジ６Ｙ、６Ｍ、６Ｃ、６Ｋがドロワ５に装着され、ドロワ５が内側位置に位置した状態で、４つの感光ドラム１５Ｙ、１５Ｍ、１５Ｃ、１５Ｋと接触する。
【００５３】
一次転写ローラ２５Ｙは、感光ドラム１５Ｙのトナー像を、中間転写ベルト２４に転写する。一次転写ローラ２５Ｍは、感光ドラム１５Ｍのトナー像を、中間転写ベルト２４に転写する。一次転写ローラ２５Ｃは、感光ドラム１５Ｃのトナー像を、中間転写ベルト２４に転写する。一次転写ローラ２５Ｋは、感光ドラム１５Ｋのトナー像を、中間転写ベルト２４に転写する。
【００５４】
１．７  二次転写ローラ
二次転写ローラ１０は、中間転写ベルト２４に転写されたトナー像を、印刷用紙Ｐに転写する。給紙カセット４から供給された印刷用紙Ｐは、二次転写ローラ１０と中間転写ベルト２４との間を通って、定着装置１１に搬送される。このとき、二次転写ローラ１０は、中間転写ベルト２４上のトナー像を印刷用紙Ｐに転写する。
【００５５】
１．８  定着装置
定着装置１１は、トナー像が転写された印刷用紙Ｐを加熱および加圧して、印刷用紙Ｐにトナー像を定着させる。定着装置１１を通過した印刷用紙Ｐは、本体筐体２の上面に排紙される。
【００５６】
２．トナーカートリッジの詳細
次に、図５Ａおよび図５Ｂを参照して、トナーカートリッジ７Ｍの詳細について説明する。なお、トナーカートリッジ７Ｙ、７Ｃ、７Ｋのそれぞれは、トナーカートリッジ７Ｍと同じ構造を有する。そのため、以下の説明において、トナーカートリッジ７Ｙ、７Ｃ、７Ｋについての説明を省略する。
【００５７】
トナーカートリッジ７Ｍは、図５Ａに示すように、第２方向に延びる。トナーカートリッジ７Ｍは、筐体４１Ｍと、オーガスクリュー４２Ｍと、第１シャッター４３Ｍと、バネ４４Ｍと、第２シャッター４５Ｍと、突起４６Ｍと、カップリング４７Ｍと、シャフト４８Ｍと、２つのギア４９Ｍ、５０Ｍとを備える。
【００５８】
２．１  筐体
筐体４１Ｍは、第２方向に延びる。筐体４１Ｍは、円筒形状を有する。筐体４１Ｍは、トナーを収容する。筐体４１Ｍは、第２方向における一方の外表面Ｓ２１と、第２方向における他方の外表面Ｓ２２とを有する。外表面Ｓ２２は、第２方向において、外表面Ｓ２１から離れて位置する。外表面Ｓ２２は、トナーカートリッジ７Ｍが画像形成装置１に装着された状態で、第２方向において、第２カバー３Ｂ（図１０参照）と外表面Ｓ２１との間に位置する。また、筐体４１Ｍは、突出部５１を有する。
【００５９】
突出部５１は、筐体４１Ｍの外表面Ｓ２１に位置する。突出部５１は、外表面Ｓ２１から延びる。突出部５１は、第２方向に延びる。突出部５１は、円筒形状を有する。突出部５１の内部空間は、筐体４１Ｍの内部空間と通じる。突出部５１は、トナー排出口５１Ａを有する。トナー排出口５１Ａは、突出部５１の周面に位置する。トナー排出口５１Ａは、突出部５１の内部空間と通じる。これにより、トナー排出口５１Ａは、トナーを排出する。
【００６０】
２．２  オーガスクリュー
オーガスクリュー４２Ｍは、筐体４１Ｍ内に位置する。オーガスクリュー４２Ｍは、第２方向に延びる。オーガスクリュー４２Ｍは、第２方向に延びる軸について回転可能である。オーガスクリュー４２Ｍは、筐体４１Ｍ内のトナーをトナー排出口５１Ａに向かって搬送する。
【００６１】
２．３  第１シャッターおよびバネ
第１シャッター４３Ｍは、筐体４１Ｍの外表面Ｓ２１に位置する。詳しくは、第１シャッター４３Ｍは、突出部５１の外周面に位置する。第１シャッター４３Ｍは、閉位置（図５Ａ参照）と開位置（図５Ｂ参照）との間を、第２方向に移動可能である。第１シャッター４３Ｍが閉位置に位置する場合、第１シャッター４３Ｍは、トナー排出口５１Ａを閉じる。第１シャッター４３Ｍが開位置に位置する場合、トナー排出口５１Ａが開く。
【００６２】
バネ４４Ｍは、開位置に位置する第１シャッター４３Ｍを、閉位置に向かって押圧する。第１シャッター４３Ｍは、トナーカートリッジ７Ｍが画像形成装置１に装着されるときに、画像形成装置１の一部と接触することにより、バネ４４Ｍの押圧力に抗して、閉位置から開位置へ移動する。一方、第１シャッター４３Ｍは、トナーカートリッジ７Ｍが画像形成装置１から取り外されるときに、バネ４４Ｍの押圧力により、開位置から閉位置へ移動する。
【００６３】
２．４  第２シャッターおよび突起
第２シャッター４５Ｍは、筐体４１Ｍ内に位置する。詳しくは、第２シャッター４５Ｍは、突出部５１内に位置する。第２シャッター４５Ｍは、閉位置（図５Ａ参照）と開位置（図５Ｂ参照）との間を移動可能である。第２シャッター４５Ｍが閉位置に位置する場合、第２シャッター４５Ｍは、トナー排出口５１Ａを閉じる。第２シャッター４５Ｍが開位置に位置する場合、トナー排出口５１Ａが開く。詳しくは、第２シャッター４５Ｍは、図５Ｂに示すように、第２方向において、筐体４１Ｍの外表面Ｓ２２から突出部５１まで延びる。第２シャッター４５Ｍは、閉位置と開位置との間を、第２方向に延びる軸について回転可能である。第２シャッター４５Ｍは、開口４５１を有する。開口４５１は、第２シャッター４５Ｍが開位置に位置する状態で、トナー排出口５１Ａと通じる。一方、開口４５１は、第２シャッター４５Ｍが閉位置に位置する状態で、トナー排出口５１Ａから離れて位置し、トナー排出口５１Ａと通じない。
【００６４】
突起４６Ｍは、筐体４１Ｍの外表面Ｓ２２に位置する。突起４６Ｍは、第２シャッター４５Ｍとともに、第２方向に延びる軸について回転可能である。ユーザーは、突起４６Ｍを回すことにより、第２シャッター４５Ｍを、開位置と閉位置との間で移動させることができる。
【００６５】
２．５  カップリング、シャフト、および、２つのギア
カップリング４７Ｍは、筐体４１Ｍの外表面Ｓ２１に位置する。カップリング４７Ｍは、第２方向に延びる軸について回転可能である。カップリング４７Ｍは、トナーカートリッジ７Ｍが画像形成装置１に装着された状態で、本体筐体２内のカップリング１００（図１０および図１５参照）と接続する。カップリング４７Ｍは、カップリング１００と接続された状態で、カップリング１００とともに回転可能である。これにより、カップリング４７Ｍは、トナーカートリッジ７Ｍが画像形成装置１に装着された状態で、カップリング１００から動力を受けることができる。
【００６６】
シャフト４８Ｍは、第２方向に延びる。シャフト４８Ｍは、カップリング４７Ｍとともに、第２方向に延びる軸について回転可能である。詳しくは、シャフト４８Ｍは、カップリング４７Ｍと接続する第１端と、第２方向において第１端から離れて位置する第２端とを有する。
【００６７】
ギア４９Ｍは、シャフト４８Ｍの第２端に取り付けられる。ギア４９Ｍは、シャフト４８Ｍとともに回転可能である。
【００６８】
ギア５０Ｍは、オーガスクリュー４２Ｍに取り付けられる。ギア５０Ｍは、オーガスクリュー４２Ｍとともに回転可能である。ギア５０Ｍは、ギア４９Ｍと噛み合う。カップリング４７Ｍがカップリング１００から受けた動力は、シャフト４８Ｍ、ギア４９Ｍおよびギア５０Ｍにより、オーガスクリュー４２Ｍに伝えられる。
【００６９】
３．ドラムカートリッジの詳細
次に、図６から図７Ｂを参照して、ドラムカートリッジ６Ｍの詳細について説明する。なお、ドラムカートリッジ６Ｙ、６Ｃ、６Ｋのそれぞれは、ドラムカートリッジ６Ｍと同じ構造を有する。そのため、以下の説明において、ドラムカートリッジ６Ｙ、６Ｃ、６Ｋについての説明を省略する。
【００７０】
ドラムカートリッジ６Ｍは、図６に示すように、上記した感光ドラム１５Ｍ、帯電ローラ１６Ｍ（図４参照）、現像器１７Ｍ、ドラムクリーナー１８Ｍに加えて、２つのドラム側板３１Ａ、３１Ｂと、ドラムカップリング３２と、第１接続部３３と、第２接続部３４とを備える。
【００７１】
３．１  ドラム側板
ドラム側板３１Ａは、図６および図７Ａに示すように、第２方向におけるドラムカートリッジ６Ｍの一方の端部に位置する。ドラム側板３１Ａは、第２方向におけるドラムカートリッジ６Ｍの一方の外表面Ｓ１１を有する。ドラム側板３１Ａは、第２方向における感光ドラム１５Ｍの一方の端部を支持する。また、ドラム側板３１Ａは、第２方向における現像器１７Ｍの一方の端部を支持する。詳しくは、現像器１７Ｍは、突出部１７１Ｍ（図６および図７Ａ参照）と、突出部１７２Ｍ（図６および図７Ｂ参照）とを有する。突出部１７１Ｍは、第２方向における現像筐体１９Ｍの一方の端部から延びる。突出部１７１Ｍは、揺動軸Ａ２に沿って延びる。突出部１７１Ｍは、円筒形状を有する。突出部１７２Ｍは、第２方向において、現像筐体１９Ｍに対して突出部１７１Ｍの反対側に位置する。突出部１７２Ｍは、第２方向における現像筐体１９Ｍの他方の端部から延びる。突出部１７２Ｍは、揺動軸Ａ２に沿って延びる。突出部１７２Ｍは、円筒形状を有する。ドラム側板３１Ａは、図７Ａに示すように、貫通穴３１１Ａを有する。貫通穴３１１Ａは、円形状を有する。突出部１７１Ｍは、貫通穴３１１Ａに嵌まる。突出部１７１Ｍは、ドラム側板３１Ａに対して回転可能である。
【００７２】
ドラム側板３１Ｂは、図６および図７Ｂに示すように、第２方向におけるドラムカートリッジ６Ｍの他方の端部に位置する。ドラム側板３１Ｂは、第２方向において、ドラム側板３１Ａから離れて位置する。ドラム側板３１Ｂは、第２方向におけるドラムカートリッジ６Ｍの他方の外表面Ｓ１２を有する。外表面Ｓ１２は、第２方向において、外表面Ｓ１１から離れて位置する。ドラム側板３１Ｂは、第２方向における感光ドラム１５Ｍの他方の端部を支持する。また、ドラム側板３１Ｂは、第２方向における現像器１７Ｍの他方の端部を支持する。ドラム側板３１Ｂは、図７Ｂに示すように、貫通穴３１１Ｂを有する。貫通穴３１１Ｂは、円形状を有する。突出部１７２Ｍは、貫通穴３１１Ｂに嵌まる。突出部１７２Ｍは、ドラム側板３１Ｂに対して回転可能である。突出部１７１Ｍが貫通穴３１１Ａに嵌まり、突出部１７２Ｍが貫通穴３１１Ｂに嵌まり、突出部１７１Ｍがドラム側板３１Ａに対して回転可能であり、突出部１７２Ｍがドラム側板３１Ｂに対して回転可能であることにより、現像器１７Ｍは、揺動軸Ａ２について揺動可能である。
【００７３】
また、ドラム側板３１Ｂは、取手３１２を有する。取手３１２は、ドラム側板３１Ｂの上端部に位置する。取手３１２は、ドラム側板３１Ｂの上端部から延びる。取手３１２は、上下方向に延び、板形状を有する。取手３１２は、貫通穴３１２Ａを有する。ユーザーは、取手３１２に指をかけて、ドラムカートリッジ６Ｍをドロワ５から取り外すことができる。
【００７４】
３．２  ドラムカップリング
ドラムカップリング３２は、図６および図７Ａに示すように、第２方向におけるドラムカートリッジ６Ｍの一方の外表面Ｓ１１に位置する。詳しくは、ドラムカップリング３２は、第２方向における感光ドラム１５Ｍの一方の端部に位置する。ドラムカップリング３２は、ドラム側板３１Ａに支持される。ドラムカップリング３２は、感光ドラム１５Ｍとともに回転可能である。ドラムカップリング３２は、ドラムカートリッジ６Ｍがドロワ５に装着され、ドロワ５が内側位置に位置する状態で、本体カップリング６１Ｍ（図１０参照）と接続される。ドラムカップリング３２は、本体カップリング６１Ｍと接続された状態で、本体カップリング６１Ｍとともに回転可能である。
【００７５】
３．３  第１接続部
第１接続部３３は、図６に示すように、第２方向におけるドラムカートリッジ６Ｍの一方の外表面Ｓ１１に位置する。第１接続部３３は、ドラム側板３１Ａから延びる。第１接続部３３は、第２方向に延びる。第１接続部３３は、円筒形状を有する。第１接続部３３は、現像器１７Ｍの突出部１７１Ｍと通じる。詳しくは、図７Ａに示すように、第１接続部３３は、貫通穴３３Ａを有する。貫通穴３３Ａは、突出部１７１Ｍの受入口１７３と通じる。ドラムカートリッジ６Ｍがドロワ５に装着された状態で、第１接続部３３には、トナー搬送ユニット９２Ｍ（図８参照）が、接続される。トナー搬送ユニット９２Ｍについては、後で説明する。貫通穴３３Ａは、トナー搬送ユニット９２Ｍが第１接続部３３に接続された状態で、トナー搬送ユニット９２Ｍのトナー排出口（図示せず）と通じる。これにより、トナー搬送ユニット９２Ｍ内のトナーは、トナー排出口、貫通穴３３Ａおよび受入口１７３を通って、現像器１７Ｍの突出部１７１Ｍ内に入る。また、第１接続部３３は、シャッター３３Ｂと、バネ３３Ｃ（図６参照）と、第１出力カップリング３３Ｄとを備える。つまり、ドラムカートリッジ６Ｍは、第１出力カップリング３３Ｄを備える。
【００７６】
シャッター３３Ｂは、第１接続部３３内に位置する。シャッター３３Ｂは、貫通穴３３Ａを閉じる閉位置（図６参照）と、貫通穴３３Ａが開く開位置（図１０参照）との間を、第２方向に移動可能である。
【００７７】
バネ３３Ｃは、図６に示すように、第１接続部３３内に位置する。バネ３３Ｃは、開位置に位置するシャッター３３Ｂを閉位置に向かって押圧する。シャッター３３Ｂは、トナー搬送ユニット９２Ｍが第１接続部３３に接続されるときに、トナー搬送ユニット９２Ｍによって押圧されることにより、バネ３３Ｃの押圧力に抗して、閉位置から開位置へ移動する。また、シャッター３３Ｂは、トナー搬送ユニット９２Ｍと第１接続部３３との接続が解除されるときに、バネ３３Ｃの押圧力によって、開位置から閉位置へ移動する。
【００７８】
第１出力カップリング３３Ｄは、図６に示すように、第１接続部３３内に位置する。第１出力カップリング３３Ｄは、ドラムカップリング３２からの動力により回転可能である。第１出力カップリング３３Ｄは、トナー搬送ユニット９２Ｍに動力を伝える。詳しくは、第１出力カップリング３３Ｄは、トナー搬送ユニット９２Ｍが第１接続部３３に接続された状態で、トナー搬送ユニット９２Ｍの第１カップリング９２４Ｍ（図９参照）と接続する。第１出力カップリング３３Ｄは、第１カップリング９２４Ｍと接続された状態で、第１カップリング９２４Ｍとともに回転可能である。これにより、第１出力カップリング３３Ｄは、トナー搬送ユニット９２Ｍが第１接続部３３に接続された状態で、第１カップリング９２４Ｍに動力を伝えることができる。
【００７９】
３．４  第２接続部
第２接続部３４は、図６に示すように、第２方向におけるドラムカートリッジ６Ｍの一方の外表面Ｓ１１に位置する。第２接続部３４は、ドラム側板３１Ａから延びる。第２接続部３４は、第２方向に延びる。第２接続部３４は、円筒形状を有する。第２接続部３４は、ドラムクリーナー１８Ｍと通じる。詳しくは、図７Ａに示すように、第２接続部３４は、貫通穴３４Ａを有する。貫通穴３４Ａは、ドラムクリーナー１８Ｍの内部空間と通じる。ドラムカートリッジ６Ｍがドロワ５に装着された状態で、第２接続部３４には、廃トナー搬送ユニット９３の廃トナー第１管９３１Ｍ（図８参照）が接続される。廃トナー搬送ユニット９３については、後で説明する。貫通穴３４Ａは、廃トナー搬送ユニット９３の廃トナー第１管９３１Ｍが第２接続部３４に接続された状態で、廃トナー第１管９３１Ｍの廃トナー受入口（図示せず）と通じる。これにより、ドラムクリーナー１８Ｍ内の廃トナーは、貫通穴３４Ａおよび廃トナー受入口を通って、廃トナー第１管９３１Ｍ内に入る。また、第２接続部３４は、シャッター３４Ｂと、バネ３４Ｃ（図６参照）と、第２出力カップリング３４Ｄとを備える。つまり、ドラムカートリッジ６Ｍは、第２出力カップリング３４Ｄを備える。
【００８０】
シャッター３４Ｂは、第２接続部３４内に位置する。シャッター３４Ｂは、貫通穴３４Ａを閉じる閉位置（図６参照）と、貫通穴３４Ａが開く開位置（図１０参照）との間を、第２方向に移動可能である。
【００８１】
バネ３４Ｃは、第２接続部３４内に位置する。バネ３４Ｃは、開位置に位置するシャッター３４Ｂを閉位置に向かって押圧する。シャッター３４Ｂは、廃トナー第１管９３１Ｍが第２接続部３４に接続されるときに、廃トナー第１管９３１Ｍによって押圧されることにより、バネ３４Ｃの押圧力に抗して、閉位置から開位置へ移動する。また、シャッター３４Ｂは、廃トナー第１管９３１Ｍと第２接続部３４との接続が解除されるときに、バネ３４Ｃの押圧力によって、開位置から閉位置へ移動する。
【００８２】
第２出力カップリング３４Ｄは、第２接続部３４内に位置する。第２出力カップリング３４Ｄは、ドラムカップリング３２からの動力により回転可能である。第２出力カップリング３４Ｄは、廃トナー第１管９３１Ｍに動力を伝える。詳しくは、第２出力カップリング３４Ｄは、廃トナー第１管９３１Ｍが第２接続部３４に接続された状態で、廃トナー第１管９３１Ｍの第２カップリング９３５Ｍ（図９参照）と接続する。第２出力カップリング３４Ｄは、第２カップリング９３５Ｍと接続された状態で、第２カップリング９３５Ｍとともに回転可能である。これにより、第２出力カップリング３４Ｄは、廃トナー第１管９３１Ｍが第２接続部３４に接続された状態で、第２カップリング９３５Ｍに動力を伝えることができる。
【００８３】
４．ドロワの詳細
次に、図８および図９を参照して、ドロワ５の詳細について説明する。
【００８４】
ドロワ５は、図８に示すように、第１側壁９１Ａと、第２側壁９１Ｂと、底板９０と、４つのトナー搬送ユニット９２Ｙ、９２Ｍ、９２Ｃ、９２Ｋと、廃トナー搬送ユニット９３とを備える。
【００８５】
４．１  第１側板および第２側板
第１側壁９１Ａは、図８に示すように、第２方向におけるドロワ５の一端に位置する。第１側壁９１Ａは、第１方向に延びる。第１側壁９１Ａは、平板形状を有する。第１側壁９１Ａは、図９に示すように、４つの切欠９４Ｙ、９４Ｍ、９４Ｃ、９４Ｋを有する。
【００８６】
４つの切欠９４Ｙ、９４Ｍ、９４Ｃ、９４Ｋは、第１方向において、互いに間隔をあけて並ぶ。ドラムカートリッジ６Ｍがドロワ５に支持された状態で、切欠９４Ｍには、ドラムカートリッジ６Ｍのドラムカップリング３２が通る。なお、ドラムカートリッジ６Ｙがドロワ５に支持された状態で、切欠９４Ｙには、ドラムカートリッジ６Ｙのドラムカップリング３２が通る。ドラムカートリッジ６Ｃがドロワ５に支持された状態で、切欠９４Ｃには、ドラムカートリッジ６Ｃのドラムカップリング３２が通る。ドラムカートリッジ６Ｋがドロワ５に支持された状態で、切欠９４Ｋには、ドラムカートリッジ６Ｋのドラムカップリング３２が通る。
【００８７】
第２側壁９１Ｂは、図８に示すように、第２方向におけるドロワ５の他端に位置する。第２側壁９１Ｂは、第２方向において、第１側壁９１Ａから離れて位置する。第２側壁９１Ｂは、第１方向に延びる。第２側壁９１Ｂは、平板形状を有する。
【００８８】
４．２  底板
底板９０は、第２方向において、第１側板９１Ａと第２側板９１Ｂとの間に位置する。底板９０は、第１方向および第２方向に延びる。第２方向における底板９０の一端部は、第１側板９１Ａに接続する。第２方向における底板９０の他端部は、第２側板９１Ｂに接続する。底板９０は、貫通穴９０１Ｙ、９０１Ｍ、９０１Ｃ、９０１Ｋ、９０２Ｙ、９０２Ｍ、９０２Ｃ、９０２Ｋを有する。
【００８９】
貫通穴９０１Ｍには、押圧部材６７Ｍが通る。押圧部材６７Ｍについては、後で説明する。貫通穴９０１Ｍは、ドラムカートリッジ６Ｍがドロワ５に装着された状態で、第２方向において、現像ローラ２０Ｍと第１側板９１Ａとの間に位置する。
【００９０】
また、貫通穴９０２Ｍには、押圧部材６８Ｍが通る。押圧部材６８Ｍについては、後で説明する。貫通穴９０２Ｍは、ドラムカートリッジ６Ｍがドロワ５に装着された状態で、第２方向において、現像ローラ２０Ｍと第２側板９１Ｂとの間に位置する。
【００９１】
なお、貫通穴９０１Ｙ、９０１Ｃ、９０１Ｋは、貫通穴９０１Ｍと同様に説明でき、貫通穴９０２Ｙ、９０２Ｃ、９０２Ｋは、貫通穴９０２Ｍと同様に説明できる。そのため、貫通穴９０１Ｙ、９０１Ｃ、９０１Ｋ、９０２Ｙ、９０２Ｃ、９０２Ｋの説明を省略する。
【００９２】
４．３  トナー搬送ユニット
４つのトナー搬送ユニット９２Ｙ、９２Ｍ、９２Ｃ、９２Ｋは、図８に示すように、第１方向において、互いに間隔をあけて並ぶ。４つのトナー搬送ユニット９２Ｙ、９２Ｍ、９２Ｃ、９２Ｋは、第１側壁９１Ａに設けられている。トナー搬送ユニット９２Ｍは、トナーカートリッジ７Ｍからドラムカートリッジ６Ｍに供給されるトナーを搬送可能である。詳しくは、トナー搬送ユニット９２Ｍは、ドロワ５が内側位置に位置した状態で、接続管７０Ｍ（図１０参照）と接続され、接続管７０Ｍからのトナーをドラムカートリッジ６Ｍに搬送可能である。接続管７０Ｍについては、後で説明する。トナー搬送ユニット９２Ｍは、トナー第１管９２１Ｍと、トナー第２管９２２Ｍ（図９参照）と、シャッター９２５Ｍと、第１オーガスクリュー９２３Ｍと、第１カップリング９２４Ｍ（図９参照）とを備える。
【００９３】
なお、トナー搬送ユニット９２Ｙ、９２Ｃ、９２Ｋのそれぞれは、トナー搬送ユニット９２Ｍと同じ構造を有する。つまり、トナー搬送ユニット９２Ｙは、トナーカートリッジ７Ｙからドラムカートリッジ６Ｙに供給されるトナーを搬送可能である。以下の説明において、トナー搬送ユニット９２Ｙ、９２Ｃ、９２Ｋについての説明を省略する。
【００９４】
４．３．１  トナー第１管
図８に示すように、トナー第１管９２１Ｍは、第２方向に延びる。トナー第１管９２１Ｍは、円筒形状を有する。トナー第１管９２１Ｍは、第２方向において、一端Ｅ１と、他端Ｅ２とを有する。他端Ｅ２は、第２方向において、一端Ｅ１から離れて位置する。ドラムカートリッジ６Ｍがドロワ５に装着された状態で、トナー第１管９２１Ｍの一端Ｅ１は、ドラムカートリッジ６Ｍの第１接続部３３（図６参照）に接続する。なお、トナー第１管９２１Ｍは、図示しないトナー排出口を有する。トナー排出口は、トナー第１管９２１Ｍの内部空間と通じる。これにより、トナー排出口は、トナー第１管９２１Ｍ内のトナーを排出可能である。トナー第１管９２１Ｍの一端Ｅ１がドラムカートリッジ６Ｍの第１接続部３３に接続された状態で、トナー排出口は、第１接続部３３の貫通穴３３Ａ（図７Ａ参照）と通じる。これにより、トナー排出口から排出されたトナーは、貫通穴３３Ａおよび受入口１７３を通って、現像筐体１９Ｍの突出部１７１Ｍ内に入る。
【００９５】
４．３．２  トナー第２管
図９に示すように、トナー第２管９２２Ｍは、上下方向に延びる。すなわち、トナー第２管９２２Ｍは、第１方向および第２方向の両方と交差する第３方向に延びる。トナー第２管９２２Ｍは、角筒形状を有する。トナー第２管９２２Ｍは、上下方向において、一端Ｅ１１と、他端Ｅ１２とを有する。他端Ｅ１２は、上下方向において、一端Ｅ１１から離れて位置する。他端Ｅ１２は、一端Ｅ１１よりも下方に位置する。一端Ｅ１１は、切欠９４Ｍよりも上方に位置する。つまり、一端Ｅ１１は、ドロワ５が内側位置に位置する状態で、本体カップリング６１Ｍ（図１０参照）よりも上方に位置する。一端Ｅ１１は、ドロワ５が内側位置に位置する状態で、接続管７０Ｍと接続する。他端Ｅ１２は、トナー第１管９２１Ｍと接続する。つまり、トナー第２管９２２Ｍは、ドロワ５が内側位置に位置する状態で、トナー第１管９２１Ｍと接続管７０Ｍとを接続する。トナー第２管９２２Ｍの内部空間は、トナー第１管９２１Ｍの内部空間と通じる。トナー第２管９２２Ｍは、トナー受入口９２２Ａと、突起９２２Ｂと、受部９２３Ｍとを有する。
【００９６】
トナー受入口９２２Ａは、トナー第２管９２２Ｍの一端Ｅ１１に位置する。トナー受入口９２２Ａは、トナー第２管９２２Ｍの内部空間と通じる。トナー受入口９２２Ａは、ドロワ５が内側位置に位置した状態で、接続管７０Ｍの排出口７０６Ｍ（図１３参照）と通じる。これにより、接続管７０Ｍの排出口７０６Ｍから排出されたトナーは、トナー受入口９２２Ａを介して、トナー第２管９２２Ｍ内に入る。トナー第２管９２２Ｍ内に入ったトナーは、トナー第２管９２２Ｍを通ってトナー第１管９２１Ｍに入る。
【００９７】
突起９２２Ｂは、トナー第２管９２２Ｍの一端Ｅ１１に位置する。突起９２２Ｂは、トナー第２管９２２Ｍの一端Ｅ１１から突出する。突起９２２Ｂは、上下方向に延びる。突起９２２Ｂは、板形状を有する。突起９２２Ｂは、内側位置に位置するドロワ５がリフト部材６５Ａ、６５Ｂ（図１０および図１２参照）によって持ち上げられるときに、接続管７０Ｍのシャッター７０４Ｍの突起７０７を押圧する。これにより、突起９２２Ｂは、内側位置に位置するドロワ５がリフト部材６５Ａ、６５Ｂによって持ち上げられるときに、接続管７０Ｍのシャッター７０４Ｍを閉位置から開位置に向かって押圧する。リフト部材６５Ａ、６５Ｂ、および、接続管７０Ｍのシャッター７０４Ｍについては、後で説明する。
【００９８】
受部９２３Ｍは、トナー第２管９２２Ｍの一端Ｅ１１に位置する。受部９２３Ｍは、ドロワ５が内側位置に位置する状態で、接続管７０Ｍの接続部７０２Ｍを受ける。受部９２３Ｍは、接続管７０Ｍの接続部７０２Ｍの周面に沿って延びる。受部９２３Ｍは、円弧形状を有する。ドロワ５が内側位置に位置する状態で、受部９２３Ｍの下端は、切欠９４Ｍの上端よりも上方に位置する。
【００９９】
４．３．３  シャッター
図８に示すように、シャッター９２５Ｍは、トナー第１管９２１Ｍの周面に位置する。シャッター９２５Ｍは、閉位置（図８参照）と開位置（図１０参照）との間を、第２方向に移動可能である。シャッター９２５Ｍが閉位置に位置する場合、シャッター９２５Ｍは、トナー排出口を閉じる。シャッター９２５Ｍが開位置に位置する場合、トナー排出口は、開く。閉位置に位置するシャッター９２５Ｍは、ドラムカートリッジ６Ｍがドロワ５に装着されるときに、ドラムカートリッジ６Ｍの一部と接触することにより、開位置に向かって移動する。開位置に位置するシャッター９２５Ｍは、ドラムカートリッジ６Ｍがドロワ５から取り外されるときに、バネ９２６Ｍによって押圧されることにより、閉位置に向かって移動する。
【０１００】
４．３．４  オーガスクリュー
図８に示すように、第１オーガスクリュー９２３Ｍは、トナー第１管９２１Ｍ内に位置する。第１オーガスクリュー９２３Ｍは、トナー第１管９２１Ｍが延びる方向に延びる。第１オーガスクリュー９２３Ｍは、トナー第１管９２１Ｍ内のトナーをトナー排出口に向かって搬送する。
【０１０１】
４．３．５  第１カップリング
図９に示すように、第１カップリング９２４Ｍは、トナー第１管９２１Ｍの一端Ｅ１に位置する。第１カップリング９２４Ｍは、第２方向におけるトナー第１管９２１Ｍの外表面に位置する。第１カップリング９２４Ｍは、第１オーガスクリュー９２３Ｍとともに回転可能である。これにより、第１カップリング９２４Ｍは、第１オーガスクリュー９２３Ｍに動力を伝える。第１カップリング９２４Ｍは、第２方向における第１オーガスクリュー９２３Ｍの端部に取り付けられる。第１カップリング９２４Ｍは、切欠９４Ｍよりも下方に位置する。つまり、第１カップリング９２４Ｍは、ドロワ５が内側位置に位置する状態で、本体カップリング６１Ｍ（図１０参照）よりも下方に位置する。第１カップリング９２４Ｍは、ドラムカートリッジ６Ｍがドロワ５に装着された状態で、ドラムカートリッジ６Ｍの第１出力カップリング３３Ｄ（図７Ａ参照）と接続する。第１カップリング９２４Ｍは、第１出力カップリング３３Ｄと接続された状態で、第１出力カップリング３３Ｄとともに回転する。
【０１０２】
４．４  廃トナー搬送ユニット
図８に示すように、廃トナー搬送ユニット９３は、第１側壁９１Ａに設けられている。廃トナー搬送ユニット９３は、４つのドラムカートリッジ６Ｙ、６Ｍ、６Ｃ、６Ｋのそれぞれから廃トナーカートリッジ６４（図２および図１１参照）に廃トナーを搬送する。廃トナー搬送ユニット９３は、４つの廃トナー第１管９３１Ｙ、９３１Ｍ、９３１Ｃ、９３１Ｋと、廃トナー第２管９３２と、４つのシャッター９３３Ｙ、９３３Ｍ、９３３Ｃ、９３３Ｋと、４つの第２オーガスクリュー９３４Ｙ、９３４Ｍ、９３４Ｃ、９３４Ｋと、４つの第２カップリング９３５Ｙ、９３５Ｍ、９３５Ｃ、９３５Ｋ（図９参照）と、オーガスクリュー９３７とを備える。
【０１０３】
４．４．１  廃トナー第１管
図８に示すように、４つの廃トナー第１管９３１Ｙ、９３１Ｍ、９３１Ｃ、９３１Ｋのそれぞれは、第１方向において、互いに間隔をあけて並ぶ。廃トナー第１管９３１Ｙは、ドラムカートリッジ６Ｙがドロワ５に装着されたときに、ドラムカートリッジ６Ｙの第２接続部３４と接続する。廃トナー第１管９３１Ｍは、ドラムカートリッジ６Ｍがドロワ５に装着されたときに、ドラムカートリッジ６Ｍの第２接続部３４（図６参照）と接続する。廃トナー第１管９３１Ｃは、ドラムカートリッジ６Ｃがドロワ５に装着されたときに、ドラムカートリッジ６Ｃの第２接続部３４と接続する。廃トナー第１管９３１Ｋは、ドラムカートリッジ６Ｋがドロワ５に装着されたときに、ドラムカートリッジ６Ｋの第２接続部３４と接続する。４つの廃トナー第１管９３１Ｙ、９３１Ｍ、９３１Ｃ、９３１Ｋのそれぞれは、同じ構造を有する。そのため、以下の説明において、廃トナー第１管９３１Ｍについて詳しく説明し、廃トナー第１管９３１Ｙ、９３１Ｃ、９３１Ｋについての説明を省略する。
【０１０４】
廃トナー第１管９３１Ｍは、第２方向に延びる。廃トナー第１管９３１Ｍは、円筒形状を有する。廃トナー第１管９３１Ｍは、図示しない廃トナー受入口を有する。廃トナー受入口は、廃トナー第１管９３１Ｍの内部空間と通じる。廃トナー第１管９３１Ｍがドラムカートリッジ６Ｍの第２接続部３４に接続された状態で、廃トナー受入口は、第２接続部３４の貫通穴３４Ａ（図７Ａ参照）と通じる。これにより、ドラムクリーナー１８Ｍから排出されたトナーは、廃トナー受入口を通って、廃トナー第１管９３１Ｍ内に入る。
【０１０５】
４．４．２  廃トナー第２管
図８に示す廃トナー第２管９３２は、４つの廃トナー第１管９３１Ｙ、９３１Ｍ、９３１Ｃ、９３１Ｋのそれぞれと、廃トナーカートリッジ６４（図１１参照）とを接続する。詳しくは、廃トナー第２管９３２は、４つの廃トナー第１管９３１Ｙ、９３１Ｍ、９３１Ｃ、９３１Ｋのそれぞれと接続する。また、廃トナー第２管９３２は、ドロワ５が内側位置に位置した状態で、廃トナー接続管６３（図１１参照）と接続する。これにより、廃トナー第２管９３２は、ドロワ５が内側位置に位置した状態で、廃トナー接続管６３を介して廃トナーカートリッジ６４と接続する。廃トナー第２管９３２は、第１方向に延びる。廃トナー第２管９３２は、円筒形状を有する。廃トナー第２管９３２は、廃トナー排出口９３２Ａを有する。廃トナー排出口９３２Ａは、廃トナー第２管９３２の内部空間と通じる。廃トナー排出口９３２Ａは、ドロワ５が内側位置に位置した状態で、廃トナー接続管６３の受入口６３Ａ（図１１参照）と通じる。これにより、ドロワ５が内側位置に位置した状態で、廃トナー第２管９３２内の廃トナーは、廃トナー接続管６３を通って、廃トナーカートリッジ６４に入る。
【０１０６】
４．４．３  シャッター
シャッター９３３Ｍは、廃トナー第１管９３１Ｍの周面に位置する。シャッター９３３Ｍは、閉位置（図８参照）と開位置（図１０参照）との間を、第２方向に移動可能である。シャッター９３３Ｍが閉位置に位置する場合、シャッター９３３Ｍは、廃トナー受入口を閉じる。シャッター９３３Ｍが開位置に位置する場合、廃トナー受入口は、開く。閉位置に位置するシャッター９３３Ｍは、ドラムカートリッジ６Ｍがドロワ５に装着されるときに、ドラムカートリッジ６Ｍの一部と接触することにより、開位置に向かって移動する。開位置に位置するシャッター９３３Ｍは、ドラムカートリッジ６Ｍがドロワ５から取り外されるときに、バネ９３６Ｍによって押圧されることにより、閉位置に向かって移動する。
【０１０７】
なお、シャッター９３３Ｙ、９３３Ｃ、９３３Ｋは、シャッター９３３Ｍと同様に説明できる。そのため、シャッター９３３Ｙ、９３３Ｃ、９３３Ｋの説明を省略する。
【０１０８】
４．４．４  オーガスクリュー
第２オーガスクリュー９３４Ｍは、廃トナー第１管９３１Ｍ内に位置する。第２オーガスクリュー９３４Ｍは、廃トナー第１管９３１Ｍが延びる方向に延びる。第２オーガスクリュー９３４Ｍは、廃トナー第１管９３１Ｍ内のトナーをトナー排出口に向かって搬送する。
【０１０９】
なお、第２オーガスクリュー９３４Ｙ、９３４Ｃ、９３４Ｋは、第２オーガスクリュー９３４Ｍと同様に説明できる。そのため、第２オーガスクリュー９３４Ｙ、９３４Ｃ、９３４Ｋの説明を省略する。
【０１１０】
４．４．５  第２カップリング
図９に示すように、第２カップリング９３５Ｍは、第２方向における廃トナー第１管９３１Ｍの一端に位置する。第２カップリング９３５Ｍは、第２方向における廃トナー第１管９３１Ｍの外表面に位置する。第２カップリング９３５Ｍは、第２オーガスクリュー９３４Ｍとともに回転可能である。これにより、第２カップリング９３５Ｍは、第２オーガスクリュー９３４Ｍに動力を伝える。第２カップリング９３５Ｍは、第２方向における第２オーガスクリュー９３４Ｍの端部に取り付けられる。第２カップリング９３５Ｍは、ドラムカートリッジ６Ｍがドロワ５に装着された状態で、ドラムカートリッジ６Ｍの第２出力カップリング３４Ｄ（図７Ａ参照）と接続する。第２カップリング９３５Ｍは、第２出力カップリング３４Ｄと接続された状態で、第２出力カップリング３４Ｄとともに回転する。
【０１１１】
なお、第２カップリング９３５Ｙ、９３５Ｃ、９３５Ｋは、第２カップリング９３５Ｍと同様に説明できる。そのため、第２カップリング９３５Ｙ、９３５Ｃ、９３５Ｋの説明を省略する。
【０１１２】
４．４．６  オーガスクリュー
オーガスクリュー９３７は、廃トナー第２管９３２内に位置する。オーガスクリュー９３７は、廃トナー第２管９３２が延びる方向に延びる。オーガスクリュー９３７は、廃トナー第２管９３２内の廃トナーを廃トナー排出口９３２Ａに向かって搬送する。
【０１１３】
５．画像形成装置の詳細
次に、図１０から図１６を参照して、画像形成装置１の詳細について説明する。
【０１１４】
画像形成装置１は、図１０または図１１に示すように、本体カップリング６１Ｍと、接続管７０Ｍと、シャッター７０４Ｍと、廃トナーカートリッジ６４と、廃トナー接続管６３と、２つのリフト部材６５Ａ、６５Ｂと、２つのレール７１Ａ、７１Ｂと、押圧部材６７Ｍ、６８Ｍと、２つのカム６６Ａ、６６Ｂとを備える。
【０１１５】
なお、画像形成装置１は、さらに、本体カップリング６１Ｙ、６１Ｃ、６１Ｋ（図示せず）と、接続管７０Ｙ、７０Ｃ、７０Ｋ（図２参照）と、押圧部材６７Ｙ、６７Ｃ、６７Ｋ、６８Ｙ、６８Ｃ、６８Ｋ（図８参照）とを備える。
【０１１６】
５．１  本体カップリング
図１０に示すように、本体カップリング６１Ｍは、本体筐体２内に位置する。本体カップリング６１Ｍは、本体カップリング接続位置（図１０参照）と本体カップリング接続解除位置（図１２参照）との間を、第２方向に移動可能である。
【０１１７】
ドラムカートリッジ６Ｍがドロワ５に装着され、ドロワ５が内側位置に位置する状態で、本体カップリング６１Ｍが本体カップリング接続位置に位置する場合、本体カップリング６１Ｍは、ドラムカートリッジ６Ｍのドラムカップリング３２（図７Ａ参照）と接続する。これにより、本体カップリング６１Ｍは、ドラムカートリッジ６Ｍがドロワ５に装着され、ドロワ５が内側位置に位置する状態で、ドラムカートリッジ６Ｍに画像形成装置１からの動力を伝える。
【０１１８】
一方、図１２に示すようにドラムカートリッジ６Ｍがドロワ５に装着され、ドロワ５が内側位置に位置する状態で、本体カップリング６１Ｍが本体カップリング接続解除位置に位置する場合、本体カップリング６１Ｍは、ドラムカートリッジ６Ｍのドラムカップリング３２から離れる。これにより、ドラムカートリッジ６Ｍへの画像形成装置１からの動力の伝達が、解除される。
【０１１９】
なお、図示しない本体カップリング６１Ｙ、６１Ｃ、６１Ｋのそれぞれは、本体カップリング６１Ｍと同じ構造を有する。そのため、本体カップリング６１Ｙ、６１Ｃ、６１Ｋについての説明を省略する。
【０１２０】
５．２  接続管
図２に示すように、４つの接続管７０Ｙ、７０Ｍ、７０Ｃ、７０Ｋは、第１方向に並ぶ。接続管７０Ｙは、トナーカートリッジ７Ｙとトナー搬送ユニット９２Ｙ（図９参照）とに接続される。接続管７０Ｍは、トナーカートリッジ７Ｍとトナー搬送ユニット９２Ｍ（図９参照）とに接続される。接続管７０Ｃは、トナーカートリッジ７Ｃとトナー搬送ユニット９２Ｃ（図９参照）とに接続される。接続管７０Ｋは、トナーカートリッジ７Ｋとトナー搬送ユニット９２Ｋ（図９参照）とに接続される。
【０１２１】
詳しくは、図１０に示すように、接続管７０Ｍは、受入筒７０１Ｍと、接続部７０２Ｍと、パイプ７０３Ｍとを有する。なお、接続管７０Ｙ、７０Ｃ、７０Ｋのそれぞれは、接続管７０Ｍと同じ構造を有する。そのため、以下の説明において、接続管７０Ｙ、７０Ｃ、７０Ｋについての説明を省略する。
【０１２２】
受入筒７０１Ｍは、本体筐体２内に位置する。受入筒７０１Ｍは、第２方向に延びる。受入筒７０１Ｍは、円筒形状を有する。受入筒７０１Ｍは、トナーカートリッジ７Ｍが画像形成装置１に装着された状態で、トナーカートリッジ７Ｍの突出部５１を受け入れる。受入筒７０１Ｍは、貫通穴７０５Ｍを有する。貫通穴７０５Ｍは、トナーカートリッジ７Ｍが画像形成装置１に装着された状態で、トナーカートリッジ７Ｍのトナー排出口５１Ａ（図５Ｂ参照）と通じる。
【０１２３】
接続部７０２Ｍは、本体筐体２内において、受入筒７０１Ｍよりも下方に位置する。接続部７０２Ｍは、図１３に示すように、第２方向に延びる。接続部７０２Ｍは、円筒形状を有する。接続部７０２Ｍは、排出口７０６Ｍを有する。つまり、接続管７０Ｍは、排出口７０６Ｍを有する。排出口７０６Ｍは、接続部７０２Ｍの内部空間と通じる。これにより、排出口７０６Ｍは、接続部７０２Ｍ内のトナーを排出する。
【０１２４】
図１０に示すように、パイプ７０３Ｍは、受入筒７０１Ｍと接続部７０２Ｍとを接続する。パイプ７０３Ｍの一端は、受入筒７０１Ｍに接続される。パイプ７０３Ｍの他端は、接続部７０２Ｍに接続される。パイプ７０３Ｍの内部空間は、貫通穴７０５Ｍと、接続部７０２Ｍの内部空間とに通じる。これにより、トナーカートリッジ７Ｍ内のトナーは、パイプ７０３Ｍおよび接続部７０２Ｍを通って、トナー搬送ユニット９２Ｍのトナー第２管９２２Ｍ内に入る。
【０１２５】
５．３  シャッター
シャッター７０４Ｍは、図９に示すように、接続部７０２Ｍの周面に位置する。シャッター７０４Ｍは、接続部７０２Ｍの周面に沿って、閉位置（図９参照）と開位置（図１４参照）との間を移動可能である。シャッター７０４Ｍが閉位置に位置する場合、シャッター７０４Ｍは、排出口７０６Ｍを閉じる。シャッター７０４Ｍが開位置に位置する場合、排出口７０６Ｍが、開く。シャッター７０４Ｍは、突起７０７を有する。リフト部材６５Ａ、６５Ｂ（図１０および図１２参照）がドロワ５を持ち上げるときに、図９および図１４に示すように、トナー搬送ユニット９２Ｍの突起９２２Ｂは、突起７０７を押圧する。これにより、シャッター７０４Ｍは、閉位置から開位置へ移動する。つまり、シャッター７０４Ｍは、リフト部材６５Ａ、６５Ｂがドロワ５を持ち上げるときに、ドロワ５の一部である突起７０７と接触して、閉位置から開位置へ移動する。一方、シャッター７０４Ｍは、リフト部材６５Ａ、６５Ｂがドロワ５を下げるときに、突起７０７との接触が解除されて、開位置から閉位置へ移動する。
【０１２６】
５．４  廃トナーカートリッジ
図１１に示すように、廃トナーカートリッジ６４は、第２方向に延びるボックス形状を有する。廃トナーカートリッジ６４は、画像形成装置１に取り付けられた状態で、廃トナー接続管６３と接続される。廃トナーカートリッジ６４は、画像形成装置１に取り付けられた状態で、ドラムクリーナー１８Ｙによって感光ドラム１５Ｙの周面から除去された廃トナーと、ドラムクリーナー１８Ｍによって感光ドラム１５Ｍの周面から除去された廃トナーと、ドラムクリーナー１８Ｃによって感光ドラム１５Ｃの周面から除去された廃トナーと、ドラムクリーナー１８Ｋによって感光ドラム１５Ｋの周面から除去された廃トナーとを収容する。廃トナーカートリッジ６４は、図１５に示すように、給紙カセット４が画像形成装置１から取り外された状態で、第２方向に沿って、本体筐体２から取り外し可能である。
【０１２７】
５．５  廃トナー接続管
図１１に示すように、廃トナー接続管６３は、本体筐体２内に位置する。廃トナー接続管６３は、上下方向に延びる。廃トナー接続管６３は、上下方向において、一端Ｅ２１と、他端Ｅ２２とを有する。一端Ｅ２１は、ドロワ５が内側位置に位置した状態で、廃トナー搬送ユニット９３の廃トナー排出口９３２Ａよりも上方に位置する。他端Ｅ２２は、廃トナーカートリッジ６４が本体筐体２に装着された状態で、廃トナーカートリッジ６４に接続される。廃トナー接続管６３は、受入口６３Ａを有する。受入口６３Ａは、廃トナー接続管６３の一端Ｅ２１に位置する。受入口６３Ａは、内側位置に位置するドロワ５がリフト部材６５Ａ、６５Ｂによって持ち上げられた状態で、廃トナー搬送ユニット９３の廃トナー排出口９３２Ａと通じる。
【０１２８】
５．６  リフト部材
２つのリフト部材６５Ａ、６５Ｂは、図１０および図１６に示すように、第２方向において、互いに間隔をあけて位置する。リフト部材６５Ａは、ドロワ５の第１側壁９１Ａ（図８参照）を支持する。リフト部材６５Ｂは、ドロワ５の第２側壁９１Ｂ（図８参照）を支持する。２つのリフト部材６５Ａ、６５Ｂのそれぞれは、カバー３Ａに連結される。これにより、２つのリフト部材６５Ａ、６５Ｂは、カバー３Ａに連動する。リフト部材６５Ａ、６５Ｂのそれぞれは、リフト第１位置（図１０参照）と、リフト第１位置よりも下方に位置するリフト第２位置（図１２参照）との間を、上下方向に移動可能である。リフト部材６５Ａとリフト部材６５Ｂとは、同じ構造を有する。そのため、以下の説明では、リフト部材６５Ａについて詳しく説明し、リフト部材６５Ｂについての説明を省略する。
【０１２９】
図１６に示すように、リフト部材６５Ａは、第１方向に延びる。リフト部材６５Ａは、第１方向において、一端Ｅ３１と、他端Ｅ３２とを有する。一端Ｅ３１は、カバー３Ａに連結される。他端Ｅ３２は、第１方向において、一端Ｅ３１から離れて位置する。リフト部材６５Ａの下面は、第１平面Ｓ３１、第２平面Ｓ３２、第３平面Ｓ３３、第１傾斜面Ｓ３４、および、第２傾斜面Ｓ３５を有する。
【０１３０】
第１平面Ｓ３１は、リフト部材６５Ａの一端Ｅ３１に位置する。第１平面Ｓ３１は、第１方向に延びる。
【０１３１】
第２平面Ｓ３２は、第１方向において、第１平面Ｓ３１と第３平面Ｓ３３との間に位置する。第２平面Ｓ３２は、第１平面Ｓ３１よりも上方に位置する。第２平面Ｓ３２は、第１方向に延びる。
【０１３２】
第３平面Ｓ３３は、リフト部材６５Ａの他端Ｅ３２に位置する。第３平面Ｓ３３は、第２平面Ｓ３２よりも上方に位置する。第３平面Ｓ３３は、第１方向に延びる。
【０１３３】
第１傾斜面Ｓ３４は、第１方向において、第１平面Ｓ３１と第２平面Ｓ３２との間に位置する。第１傾斜面Ｓ３４は、第１平面Ｓ３１と第２平面Ｓ３２とを接続する。第１傾斜面Ｓ３４は、第１方向に対して傾斜する。第１傾斜面Ｓ３４は、第１平面Ｓ３１から第２平面Ｓ３２へ向かうにつれて、上方へ向かう。
【０１３４】
第２傾斜面Ｓ３５は、第１方向において、第２平面Ｓ３２と第３平面Ｓ３３との間に位置する。第２傾斜面Ｓ３５は、第２平面Ｓ３２と第３平面Ｓ３３とを接続する。第２傾斜面Ｓ３５は、第１方向に対して傾斜する。第２傾斜面Ｓ３５は、第２平面Ｓ３２から第３平面Ｓ３３へ向かうにつれて、上方へ向かう。
【０１３５】
５．７  レール
２つのレール７１Ａ、７１Ｂは、図１０および図１６に示すように、第２方向において、互いに間隔をあけて位置する。レール７１Ａは、リフト部材６５Ａを支持する。レール７１Ｂは、リフト部材６５Ｂを支持する。レール７１Ａ、７１Ｂのそれぞれは、本体筐体２内において、固定されている。レール７１Ａとレール７１Ｂとは、同じ構造を有する。そのため、以下の説明では、レール７１Ａについて詳しく説明し、レール７１Ｂについての説明を省略する。
【０１３６】
図１６に示すように、レール７１Ａは、第１方向に延びる。レール７１Ａは、第１方向において、一端Ｅ４１と、他端Ｅ４２とを有する。他端Ｅ４２は、第１方向において、一端Ｅ４１から離れて位置する。一端Ｅ４１は、第１方向において、他端Ｅ４２とカバー３Ａとの間に位置する。レール７１Ａの上面は、第１平面Ｓ４１、第２平面Ｓ４２、第３平面Ｓ４３、第１傾斜面Ｓ４４、および、第２傾斜面Ｓ４５を有する。
【０１３７】
第１平面Ｓ４１は、レール７１Ａの一端Ｅ４１に位置する。第１平面Ｓ４１は、第１方向に延びる。
【０１３８】
第２平面Ｓ４２は、第１方向において、第１平面Ｓ４１と第３平面Ｓ４３との間に位置する。第２平面Ｓ４２は、第１平面Ｓ４１よりも上方に位置する。第２平面Ｓ４２は、第１方向に延びる。
【０１３９】
第３平面Ｓ４３は、レール７１Ａの他端Ｅ４２に位置する。第３平面Ｓ４３は、第２平面Ｓ４２よりも上方に位置する。第３平面Ｓ４３は、第１方向に延びる。
【０１４０】
第１傾斜面Ｓ４４は、第１方向において、第１平面Ｓ４１と第２平面Ｓ４２との間に位置する。第１傾斜面Ｓ４４は、第１平面Ｓ４１と第２平面Ｓ４２とを接続する。第１傾斜面Ｓ４４は、第１方向に対して傾斜する。第１傾斜面Ｓ４４は、第１平面Ｓ４１から第２平面Ｓ４２へ向かうにつれて、上方へ向かう。
【０１４１】
第２傾斜面Ｓ４５は、第１方向において、第２平面Ｓ４２と第３平面Ｓ４３との間に位置する。第２傾斜面Ｓ４５は、第２平面Ｓ４２と第３平面Ｓ４３とを接続する。第２傾斜面Ｓ４５は、第１方向に対して傾斜する。第２傾斜面Ｓ４５は、第２平面Ｓ４２から第３平面Ｓ４３へ向かうにつれて、上方へ向かう。
【０１４２】
カバー３Ａが閉位置に位置する場合、リフト部材６５Ａの第１平面Ｓ３１がレール７１Ａの第２平面Ｓ４２と接触し、リフト部材６５Ａの第２平面Ｓ３２がレール７１Ａの第３平面Ｓ４３と接触する。これにより、リフト部材６５Ａは、リフト第１位置に位置する。なお、リフト部材６５Ａがリフト第１位置に位置する場合、リフト部材６５Ａの第２平面Ｓ３２とレール７１Ａの第２平面Ｓ４２とは、上下方向に離れている。
【０１４３】
また、リフト部材６５Ａがリフト第１位置に位置する場合、図１４に示すように、トナー搬送ユニット９２Ｙと接続管７０Ｙとが接続し、トナー搬送ユニット９２Ｍと接続管７０Ｍとが接続し、トナー搬送ユニット９２Ｃと接続管７０Ｃとが接続し、トナー搬送ユニット９２Ｋと接続管７０Ｋとが接続する。
【０１４４】
一方、図１６を参照して説明するが、カバー３Ａが開位置に位置する場合、リフト部材６５Ａの第１平面Ｓ３１がレール７１Ａの第１平面Ｓ４１と接触し、リフト部材６５Ａの第２平面Ｓ３２がレール７１Ａの第２平面Ｓ４２と接触し、リフト部材６５Ａの第３平面Ｓ３３がレール７１Ａの第３平面Ｓ４３と接触する。これにより、リフト部材６５Ａは、リフト第２位置に位置する。
【０１４５】
リフト部材６５Ａがリフト第２位置に位置する場合、図９に示すように、トナー搬送ユニット９２Ｙが接続管７０Ｙから離れ、トナー搬送ユニット９２Ｍが接続管７０Ｍから離れ、トナー搬送ユニット９２Ｃが接続管７０Ｃから離れ、トナー搬送ユニット９２Ｋが接続管７０Ｋから離れる。
【０１４６】
リフト部材６５Ａ、６５Ｂは、カバー３Ａが閉位置から開位置に向かって移動するときに、カバー３Ａによって引っ張られて、リフト第１位置からリフト第２位置へ移動する。
【０１４７】
また、リフト部材６５Ａ、６５Ｂは、カバー３Ａが開位置から閉位置に向かって移動するときに、カバー３Ａによって押圧されて、リフト第２位置からリフト第１位置へ移動する。これにより、リフト部材６５Ａ、６５Ｂは、内側位置に位置するドロワ５を持ち上げる。つまり、リフト部材６５Ａ、６５Ｂは、カバー３Ａが開位置から閉位置へ移動するときに、カバー３Ａに連動して、内側位置に位置するドロワ５を持ち上げる。
【０１４８】
５．８  押圧部材
押圧部材６７Ｍおよび押圧部材６８Ｍは、図１０に示すように、ドラムカートリッジ６Ｍがドロワ５に装着され、ドロワ５が内側位置に位置し、カバー３Ａが閉位置に位置する状態で、ドラムカートリッジ６Ｍを上方に向かって押圧する。これにより、感光ドラム１５Ｍは、中間転写ベルト２４と接触する。
【０１４９】
詳しくは、図１０および図１２に示すように、押圧部材６７Ｍは、第１押圧位置（図１０参照）と第１押圧解除位置（図１２参照）との間を上下方向に移動可能である。押圧部材６７Ｍが第１押圧位置に位置する状態で、押圧部材６７Ｍは、開口９０１Ｍを通って、ドラムカートリッジ６Ｍのドラム側板３１Ａと接触する。押圧部材６７Ｍが第１押圧解除位置から第１押圧位置へ移動するときに、押圧部材６７Ｍは、ドラムカートリッジ６Ｍのドラム側板３１Ａを上方へ押圧する。一方、押圧部材６７Ｍが第１押圧解除位置に位置する状態で、押圧部材６７Ｍは、開口９０１Ｍから抜けて、ドラムカートリッジ６Ｍのドラム側板３１Ａから離れる。これにより、押圧部材６７Ｍによるドラムカートリッジ６Ｍに対する押圧が、解除される。
【０１５０】
押圧部材６８Ｍは、第２方向において、押圧部材６７Ｍから離れて位置する。押圧部材６８Ｍは、第２押圧位置（図１０参照）と第２押圧解除位置（図１２参照）との間を上下方向に移動可能である。押圧部材６８Ｍが第２押圧位置に位置する状態で、押圧部材６８Ｍは、開口９０２Ｍを通って、ドラムカートリッジ６Ｍのドラム側板３１Ｂと接触する。押圧部材６８Ｍが第２押圧解除位置から第２押圧位置へ移動するときに、押圧部材６８Ｍは、ドラムカートリッジ６Ｍのドラム側板３１Ｂを上方へ押圧する。押圧部材６７Ｍがドラム側板３１Ａを押圧し、押圧部材６８Ｍがドラム側板３１Ｂを押圧することにより、ドラムカートリッジ６Ｍは、上方に持ち上げられる。これにより、感光ドラム１５Ｍは、中間転写ベルト２４と接触する。一方、押圧部材６８Ｍが第２押圧解除位置に位置する状態で、押圧部材６８Ｍは、開口９０２Ｍから抜けて、ドラムカートリッジ６Ｍのドラム側板３１Ｂから離れる。これにより、押圧部材６８Ｍによるドラムカートリッジ６Ｍに対する押圧が、解除される。押圧部材６７Ｍがドラム側板３１Ａから離れ、押圧部材６８Ｍがドラム側板３１Ｂから離れることにより、ドラムカートリッジ６Ｍは、自重により、下方に下がってドロワ５に支持される。これにより、感光ドラム１５Ｍは、中間転写ベルト２４から離れる。
【０１５１】
なお、押圧部材６７Ｙ、６７Ｃ、６７Ｋ（図８参照）のそれぞれは、押圧部材６７Ｍと同じ構造を有し、押圧部材６８Ｙ、６８Ｃ、６８Ｋ（図８参照）のそれぞれは、押圧部材６８Ｍと同じ構造を有する。そのため、押圧部材６７Ｙ、６７Ｃ、６７Ｋ、６８Ｙ、６８Ｃ、６８Ｋについての説明を省略する。
【０１５２】
５．７  カム
２つのカム６６Ａ、６６Ｂは、図１０に示すように、ドロワ５が内側位置に位置する状態で、ドロワ５の下方に位置する。２つのカム６６Ａ、６６Ｂのそれぞれは、図１６に示すように、カバー３Ａに連結されている。これにより、２つのカム６６Ａ、６６Ｂは、カバー３Ａに連動して、第１方向に移動可能である。
【０１５３】
カム６６Ａは、第１方向に延びる。カム６６Ａは、４つの貫通穴６６１Ｙ、６６１Ｍ、６６１Ｃ、６６１Ｋと、４つの押圧部６６２Ｙ、６６２Ｍ、６６２Ｃ、６６２Ｋとを有する。
【０１５４】
４つの貫通穴６６１Ｙ、６６１Ｍ、６６１Ｃ、６６１Ｋは、第１方向に並ぶ。４つの貫通穴６６１Ｙ、６６１Ｍ、６６１Ｃ、６６１Ｋのそれぞれは、第１方向に延びる。貫通穴６６１Ｙには、押圧部材６７Ｙ（図８参照）が通る。貫通穴６６１Ｍには、押圧部材６７Ｍ（図８参照）が通る。貫通穴６６１Ｃには、押圧部材６７Ｃ（図８参照）が通る。貫通穴６６１Ｋには、押圧部材６７Ｋ（図８参照）が通る。
【０１５５】
押圧部６６２Ｙは、貫通穴６６１Ｙの周りに位置する。押圧部６６２Ｍは、貫通穴６６１Ｍの周りに位置する。押圧部６６２Ｃは、貫通穴６６１Ｃの周りに位置する。押圧部６６２Ｋは、貫通穴６６１Ｋの周りに位置する。
【０１５６】
押圧部６６２Ｍは、カバー３Ａが閉位置から開位置へ移動するときに、図１０および図１２に示すように、押圧部材６７Ｍに接触する。押圧部６６２Ｍは、押圧部材６７Ｍを第１押圧位置から第１押圧解除位置に向かって押圧する。押圧部材６７Ｍは、押圧部６６２Ｍによって押圧されることにより、第１押圧位置から第１押圧解除位置へ移動する。これにより、押圧部材６７Ｍは、カバー３Ａが閉位置から開位置へ移動する場合に、カバー３Ａに連動して、第１押圧位置から第１押圧解除位置へ移動する。
【０１５７】
なお、押圧部６６２Ｙ、６６２Ｃ、６６２Ｋのそれぞれは、押圧部６６２Ｍと同じ構造を有し、押圧部６６２Ｍと同様に作用する。つまり、押圧部６６２Ｙは、カバー３Ａが閉位置から開位置へ移動するときに、押圧部材６７Ｙを第１押圧位置から第１押圧解除位置に向かって押圧する。押圧部６６２Ｃは、カバー３Ａが閉位置から開位置へ移動するときに、押圧部材６７Ｃを第１押圧位置から第１押圧解除位置に向かって押圧する。押圧部６６２Ｋは、カバー３Ａが閉位置から開位置へ移動するときに、押圧部材６７Ｋを第１押圧位置から第１押圧解除位置に向かって押圧する。つまり、カム６６Ａは、カバー３Ａが閉位置から開位置へ移動するときに、４つの押圧部材６７Ｋ、６７Ｍ、６７Ｃ、６７Ｋのそれぞれを第１押圧位置から第１押圧解除位置に向かって押圧する。
【０１５８】
カム６６Ｂは、図１６に示すように、第２方向において、カム６６Ａから離れて位置する。カム６６Ｂは、カム６６Ａと同じ構造を有する。カム６６Ｂは、カバー３Ａが閉位置から開位置へ移動するときに、４つの押圧部材６８Ｋ、６８Ｍ、６８Ｃ、６８Ｋのそれぞれを第２押圧位置から第２押圧解除位置に向かって押圧する。
【０１５９】
６．作用効果
（１）画像形成装置１では、図８に示すように、トナーカートリッジ７Ｍからドラムカートリッジ６Ｍに供給されるトナーを搬送可能なトナー搬送ユニット９２Ｍが、ドロワ５に設けられている。
【０１６０】
そのため、トナー搬送ユニット９２Ｍが本体筐体２内に設けられ、ドロワ５内のドラムカートリッジ６Ｍと直接接続されている場合と比べて、トナーカートリッジ７Ｍから現像装置１７Ｍへのトナーの搬送経路のうち、本体筐体２に設けられる部分の構造を簡素化できる。
【０１６１】
これにより、本体筐体２内の構造が複雑になることを抑制できる。
【０１６２】
（２）また、ドラムカートリッジ６Ｍは、図７Ａに示すように、第１出力カップリング３３Ｄを備え、トナー搬送ユニット９２Ｍは、図９に示すように、第１カップリング９２４Ｍを備える。ドラムカートリッジ６Ｍがドロワ５に装着された状態で、第１出力カップリング３３Ｄは、第１カップリング９２４Ｍと接続される。これにより、第１出力カップリング３３Ｄは、トナー搬送ユニット９２Ｍに動力を伝える。
【０１６３】
そのため、画像形成装置１からドラムカートリッジ６Ｍに入力された動力を利用して、トナー搬送ユニット９２Ｍを作動させることができる。
【０１６４】
その結果、トナー搬送ユニット９２Ｍに動力を伝えるための構成を本体筐体２内に設ける必要がなく、本体筐体２内の構造が複雑になることを抑制できる。
【０１６５】
（３）また、ドロワ５は、図８に示すように、トナー搬送ユニット９２Ｍに加えて、廃トナー搬送ユニット９３を備える。そして、ドラムカートリッジ６Ｍは、図７Ａに示すように、第２出力カップリング３４Ｄを備え、廃トナー搬送ユニット９３は、図９に示すように、第２カップリング９３５Ｍを備える。ドラムカートリッジ６Ｍがドロワ５に装着された状態で、第２出力カップリング３４Ｄは、第２カップリング９３５Ｍと接続される。これにより、第２出力カップリング３４Ｄは、廃トナー搬送ユニット９３の第２オーガスクリュー９３４Ｍに動力を伝える。
【０１６６】
そのため、画像形成装置１からドラムカートリッジ６Ｍに入力された動力を利用して、廃トナー搬送ユニット９３を作動させることができる。
【０１６７】
その結果、廃トナー搬送ユニット９３に動力を伝えるための構成を本体筐体２内に設ける必要がなく、本体筐体２内の構造が複雑になることを抑制できる。
【０１６８】
７．変形例
次に、図１７から図１９を参照して、変形例について説明する。
【０１６９】
図１７に示すように、画像形成装置１は、シャッター２００を備えてもよい。また、ドロワ５は、シャッター２０１を備えてもよい。
【０１７０】
図１７および図１８に示すように、シャッター２００は、閉位置（図１７参照）と開位置（図１８参照）との間を、カバー３Ａに連動して移動可能である。
【０１７１】
詳しくは、シャッター２００は、第１方向に延びる。シャッター２００は、接続管７０Ｙの下端部、接続管７０Ｍの下端部、接続管７０Ｃの下端部、および、接続管７０Ｋの下端部のすべてに取り付けられる。シャッター２００は、第１方向に移動可能である。シャッター２００は、ラックギア２０２を有する。ラックギア２０２は、第１方向におけるシャッター２００の端部に位置する。ラックギア２０２は、第１方向に延びる。画像形成装置１は、ピニオンギア２０３を備える。ピニオンギア２０３は、カバー３Ａが閉位置に位置し、シャッター２００が開位置に位置する状態で、ラックギア２０２と噛み合う。カバー３Ａは、ラックギア２０４を備える。ラックギア２０４は、カバー３Ａが閉位置に位置する状態で、ピニオンギア２０３と噛み合う。
【０１７２】
シャッター２００が閉位置に位置する場合、シャッター２００は、４つの排出口７０６Ｙ、７０６Ｍ、７０６Ｃ、７０６Ｋを閉じる。
【０１７３】
そして、カバー３Ａを開位置から閉位置へ移動させると、ラックギア２０４によってピニオンギア２０３が回転し、シャッター２００が閉位置から開位置へ向かって移動する。
【０１７４】
シャッター２００が開位置に位置する場合、４つの排出口７０６Ｙ、７０６Ｍ、７０６Ｃ、７０６Ｋが開く。
【０１７５】
また、シャッター２０１は、閉位置（図１７参照）と開位置（図１８参照）との間を、シャッター２００とともに移動可能である。
【０１７６】
詳しくは、シャッター２０１は、第１方向に延びる。シャッター２０１は、トナー搬送ユニット９２Ｙ、トナー搬送ユニット９２Ｍ、トナー搬送ユニット９２Ｃ、および、トナー搬送ユニット９２Ｋのすべてに取り付けられる。シャッター２０１は、シャッター２００の穴２００Ａ（図１９参照）に嵌まる突起２０１Ａ（図１９参照）を有する。突起２０１Ａが穴２００Ａに嵌まることにより、シャッター２０１は、シャッター２００ともに移動可能となる。
【０１７７】
図１８および図１９に示すように、シャッター２００が閉位置に位置し、シャッター２０１が閉位置に位置した後、カバー３Ａが開位置に位置することにより、上記した実施形態と同様に、ドロワ５は、リフト部材６５Ａ、６５Ｂに支持された状態で、下方へ移動する。このとき、シャッター２０１は、シャッター２００から離れる。
【０１７８】
変形例においても、上記した実施形態と同様の作用効果を得ることができる。
【符号の説明】
【０１７９】
１        画像形成装置
２        本体筐体
２Ａ      開口
３Ａ      カバー
５        ドロワ
６Ｍ      ドラムカートリッジ
６Ｙ      ドラムカートリッジ
７Ｍ      トナーカートリッジ
７Ｙ      トナーカートリッジ
１５Ｍ    感光ドラム
１５Ｙ    感光ドラム
１８Ｍ    ドラムクリーナー
１８Ｙ    ドラムクリーナー
３３Ｄ    第１出力カップリング
３４Ｄ    第２出力カップリング
６１Ｍ    本体カップリング
６４      廃トナーカートリッジ
６５Ａ    リフト部材
６５Ｂ    リフト部材
７０Ｍ    接続管
７０Ｙ    接続管
９１Ａ    第１側壁
９１Ｂ    第２側壁
９２Ｍ    トナー搬送ユニット
９２Ｙ    トナー搬送ユニット
９３      廃トナー搬送ユニット
９４Ｍ    切欠
９２１Ｍ  トナー第１管
９２２Ｍ  トナー第２管
９２３Ｍ  第１オーガスクリュー
９２４Ｍ  第１カップリング
９３１Ｍ  廃トナー第１管
９３２    廃トナー第２管
９３４Ｍ  第２オーガスクリュー
９３５Ｍ  第２カップリング
Ａ１      軸線
Ｅ１      一端
Ｅ１１    一端
【図１】
2020042244.tif 000003
【図２】
2020042244.tif 000004
【図３】
2020042244.tif 000005
【図４】
2020042244.tif 000006
【図５】
2020042244.tif 000007
【図６】
2020042244.tif 000008
【図７】
2020042244.tif 000009
【図８】
2020042244.tif 000010
【図９】
2020042244.tif 000011
【図１０】
2020042244.tif 000012
【図１１】
2020042244.tif 000013
【図１２】
2020042244.tif 000014
【図１３】
2020042244.tif 000015
【図１４】
2020042244.tif 000016
【図１５】
2020042244.tif 000017
【図１６】
2020042244.tif 000018
【図１７】
2020042244.tif 000019
【図１８】
2020042244.tif 000020
【図１９】
2020042244.tif 000021